(57)【要約】【課題】より確実に長期間にわたって谷役物を屋根材に固定できる屋根の谷部構造並びに谷役物及びそれを用いた屋根の谷部構造の製造方法を提供する。【解決手段】本発明による屋根の谷部構造は、谷部に配設された谷樋３と、第１屋根面に配設された複数の第１屋根材４０，４１と、第２屋根面に配設された複数の第２屋根材５０，５１と、谷樋３を覆うように第１及び第２屋根材４０，４１，５０，５１の間に配設された複数の谷役物６とを備えている。谷役物６は、第１板部６０１と第１舌片６１１との間に第１屋根材４１の谷側端を挟み込むとともに、第１舌片６１１に打ち込まれた緊結部材により第１屋根材４１に緊結され、第２板部６０２と第２舌片６１３との間に第２屋根材５１の谷側端を挟み込むとともに、第２舌片６１３に打ち込まれた緊結部材により第２屋根材５１に緊結される。【選択図】図１１
2020056258.tif 000002
【特許請求の範囲】
【請求項１】
第１屋根面と第２屋根面とが入り合う谷部における屋根の谷部構造であって、
前記谷部に配設された谷樋と、
前記第１屋根面に配設された複数の第１屋根材と、
前記第２屋根面に配設された複数の第２屋根材と、
前記谷樋を覆うように前記第１及び第２屋根材の間に配設された複数の谷役物と
を備え、
前記谷役物は、
折線を介して一体に設けられた第１及び第２板部と、
前記第１板部から突出された第１突出壁と、
前記第１突出壁の先端部から前記第１板部の延在方向に延出された第１舌片と、
前記第２板部から突出された第２突出壁と、
前記第２突出壁の先端部から前記第２板部の延在方向に延出された第２舌片と
を有し、
前記第１板部と前記第１舌片との間に前記第１屋根材の谷側端を挟み込むとともに、前記第１舌片に打ち込まれた緊結部材により前記第１屋根材に緊結され、
前記第２板部と前記第２舌片との間に前記第２屋根材の谷側端を挟み込むとともに、前記第２舌片に打ち込まれた緊結部材により前記第２屋根材に緊結されている、
屋根の谷部構造。
【請求項２】
前記第１及び第２板部は、
前記折線の一端側に設けられた上端部と、
前記上端部から前記折線に直交する方向に離れた位置に設けられた側端部と、
前記上端部と前記側端部とを接続する上縁部と
を有しており、
前記上縁部は、前記上端部から前記折線に直交する方向に離れるにつれて前記折線の他端に近づくように前記折線に直交する方向に対して傾斜して延在されている、
請求項１記載の屋根の谷部構造。
【請求項３】
第１屋根面と第２屋根面とが入り合う谷部で使用される谷役物であって、
折線を介して一体に設けられた第１及び第２板部と、
前記第１板部から突出された第１突出壁と、
前記第１突出壁の先端部から前記第１板部の延在方向に延出された第１舌片と、
前記第２板部から突出された第２突出壁と、
前記第２突出壁の先端部から前記第２板部の延在方向に延出された第２舌片と
を備えている、
谷役物。
【請求項４】
前記第１及び第２板部は、
前記折線の一端側に設けられた上端部と、
前記上端部から前記折線に直交する方向に離れた位置に設けられた側端部と、
前記上端部と前記側端部とを接続する上縁部と
を有しており、
前記上縁部は、前記上端部から前記折線に直交する方向に離れるにつれて前記折線の他端に近づくように前記折線に直交する方向に対して傾斜して延在されている、
請求項３記載の谷役物。
【請求項５】
請求項３又は請求項４に記載の谷役物を使用する屋根の谷部構造の製造方法であって、
第１屋根面と第２屋根面とが入り合う谷部に谷樋を配設する工程と、
前記第１屋根面に第１屋根材を配設する工程と、
前記第２屋根面に第２屋根材を配設する工程と、
前記谷樋を覆うように前記第１及び第２屋根材の間に前記谷役物を配設する工程と
を含み、
前記谷役物を配設する工程は、
前記第１板部と前記第１舌片との間に前記第１屋根材の谷側端を挟み込むとともに、前記第１舌片に緊結部材を打ち込むことにより、前記谷役物を前記第１屋根材に緊結する工程と、
前記第２板部と前記第２舌片との間に前記第２屋根材の谷側端を挟み込むとともに、前記第２舌片に打ち込まれた緊結部材により、前記谷役物を前記第２屋根材に緊結する工程と
を含む、
屋根の谷部構造の製造方法。
【請求項６】
前記第１屋根面に第１屋根材を配設する工程は、第１軒側屋根材の上に第１棟側屋根材の一部を重ねて配設するとともに前記第１棟側屋根材に緊結部材を打ち込んで前記第１棟側屋根材を前記第１屋根面に緊結する工程を含み、
前記第２屋根面に第２屋根材を配設する工程は、第２軒側屋根材の上に第２棟側屋根材の一部を重ねて配設するとともに前記第２棟側屋根材に緊結部材を打ち込んで前記第２棟側屋根材を前記第２屋根面に緊結する工程を含み、
前記谷役物を配設する工程は、前記第１及び第２棟側屋根材を前記第１及び第２屋根面に緊結した後に行われる、
請求項４を引用する請求項５記載の屋根の谷部構造の製造方法。
【発明の詳細な説明】
【技術分野】
【０００１】
本発明は、第１屋根面と第２屋根面とが入り合う谷部における屋根の谷部構造並びに谷役物及びそれを用いた屋根の谷部構造の製造方法に関する。
【背景技術】
【０００２】
一般に、第１屋根面と第２屋根面とが入り合う谷部には谷樋と呼ばれる板が配設される。谷樋は、第１屋根面に配設された第１屋根材と第２屋根面に配設された第２屋根材との間の隙間から露出される。第１及び第２屋根材間の隙間を画定する第１及び第２屋根材の谷側端は、第１及び第２屋根材を切断して形成される。この谷側端を谷樋に沿って直線状に揃えるのには高い技術が必要となる。谷側端が直線状に揃わないと屋根の外観が悪くなる。第１及び第２屋根材間の隙間から谷樋が露出することと、第１及び第２屋根材の谷側端が直線状に揃わないこととによる屋根の外観の悪化を防ぐために、下記の特許文献１では屋根の谷部構造に谷役物を使用することを提案している。
【０００３】
特許文献１に記載された谷役物は、対角線方向を谷芯とした金属板製の方形状の谷納め本体と、谷納め本体の両側辺縁を複数回折り込むことにより谷納め本体の両側辺縁に形成されたクリップ部とを有している。この谷役物は、谷納め本体により谷樋を覆うように配設されるとともに、クリップ部に第１及び第２屋根材の谷側端を挿入することで第１及び第２屋根材に固定される。
【先行技術文献】
【特許文献】
【０００４】
【特許文献１】実開昭６２−２１２３１号公報
【発明の概要】
【発明が解決しようとする課題】
【０００５】
上記のような従来の谷役物を用いた屋根の谷部構造では、谷納め本体の両側辺縁に形成されたクリップ部に第１及び第２屋根材の谷側端を挿入することで谷役物を第１及び第２屋根材に固定しているので、防水性が要求される谷樋の幅内に谷納め本体が位置することになる。このため、従来構造では、例えば釘又はビス等の緊結部材により谷納め本体を第１及び第２屋根材に緊結することが難しく、長期間にわたって谷役物を屋根材に固定できない虞がある。
【０００６】
本発明は、上記のような課題を解決するためになされたものであり、その目的は、より確実に長期間にわたって谷役物を屋根材に固定できる屋根の谷部構造並びに谷役物及びそれを用いた屋根の谷部構造の製造方法を提供することである。
【課題を解決するための手段】
【０００７】
本発明に係る屋根の谷部構造は、第１屋根面と第２屋根面とが入り合う谷部における屋根の谷部構造であって、谷部に配設された谷樋と、第１屋根面に配設された複数の第１屋根材と、第２屋根面に配設された複数の第２屋根材と、谷樋を覆うように第１及び第２屋根材の間に配設された複数の谷役物とを備え、谷役物は、折線を介して一体に設けられた第１及び第２板部と、第１板部から突出された第１突出壁と、第１突出壁の先端部から第１板部の延在方向に延出された第１舌片と、第２板部から突出された第２突出壁と、第２突出壁の先端部から第２板部の延在方向に延出された第２舌片とを有し、第１板部と第１舌片との間に第１屋根材の谷側端を挟み込むとともに、第１舌片に打ち込まれた緊結部材により第１屋根材に緊結され、第２板部と第２舌片との間に第２屋根材の谷側端を挟み込むとともに、第２舌片に打ち込まれた緊結部材により第２屋根材に緊結されている。
【０００８】
本発明に係る谷役物は、第１屋根面と第２屋根面とが入り合う谷部で使用される谷役物であって、折線を介して一体に設けられた第１及び第２板部と、第１板部から突出された第１突出壁と、第１突出壁の先端部から第１板部の延在方向に延出された第１舌片と、第２板部から突出された第２突出壁と、第２突出壁の先端部から第２板部の延在方向に延出された第２舌片とを備える。
【０００９】
本発明に係る屋根の谷部構造の製造方法は、上記の谷役物を使用する屋根の谷部構造の製造方法であって、第１屋根面と第２屋根面とが入り合う谷部に谷樋を配設する工程と、第１屋根面に第１屋根材を配設する工程と、第２屋根面に第２屋根材を配設する工程と、谷樋を覆うように第１及び第２屋根材の間に谷役物を配設する工程とを含み、谷役物を配設する工程は、第１板部と第１舌片との間に第１屋根材の谷側端を挟み込むとともに、第１舌片に緊結部材を打ち込むことにより、谷役物を第１屋根材に緊結する工程と、第２板部と第２舌片との間に第２屋根材の谷側端を挟み込むとともに、第２舌片に打ち込まれた緊結部材により、谷役物を第２屋根材に緊結する工程とを含む。
【発明の効果】
【００１０】
本発明の屋根の谷部構造並びに谷役物及びそれを用いた屋根の谷部構造の製造方法によれば、第１板部と第１舌片との間に第１屋根材の谷側端を挟み込むとともに、第１舌片に打ち込まれた緊結部材により谷役物が第１屋根材に緊結され、第２板部と第２舌片との間に第２屋根材の谷側端を挟み込むとともに、第２舌片に打ち込まれた緊結部材により谷役物が第２屋根材に緊結されるので、より確実に長期間にわたって谷役物を屋根材に固定できる。
【図面の簡単な説明】
【００１１】
【図１】本発明の実施の形態１による屋根の谷部構造を示す斜視図である。
【図２】図１の谷役物を示す正面図である。
【図３】図２の谷役物を示す背面図である。
【図４】図２の谷役物を示す底面図である。
【図５】図２の線Ａ−Ａに沿う谷役物の断面図である。
【図６】図２〜図５の谷役物を使用する屋根の谷部構造の製造方法を示すフローチャートである。
【図７】図６の谷樋配設工程を示す説明図である。
【図８】図６の第１屋根材配設工程を示す説明図である。
【図９】図６の第２屋根材配設工程を示す説明図である。
【図１０】図６の谷役物配設工程を示す説明図である。
【図１１】図１０の谷役物の配設についてより詳しく示す説明図である。
【図１２】本発明の実施の形態２による谷役物を示す正面図である。
【図１３】図１２の谷役物を示す背面図である。
【図１４】図１２の谷役物を示す底面図である。
【図１５】図１２の線Ｂ−Ｂに沿う谷役物の断面図である。
【発明を実施するための形態】
【００１２】
以下、本発明を実施するための形態について、図面を参照して説明する。本発明は各実施の形態に限定されるものではなく、その要旨を逸脱しない範囲で構成要素を変形して具体化できる。また、各実施形態に開示されている複数の構成要素の適宜な組み合わせにより、種々の発明を形成できる。例えば、実施の形態に示される全構成要素からいくつかの構成要素を削除してもよい。さらに、異なる実施形態の構成要素を適宜組み合わせてもよい。
【００１３】
実施の形態１．
図１は、本発明の実施の形態１による屋根の谷部構造を示す斜視図である。図１に示す屋根の谷部構造は、例えば家屋等の屋根において第１屋根面１と第２屋根面２とが入り合う谷部における屋根の構造である。図１に示すように、屋根の谷部構造には、谷樋３、複数の第１屋根材４及び複数の第２屋根材５及び複数の谷役物６が含まれている。
【００１４】
谷樋３は、谷部に配設された樋である。後述のように谷樋３は、例えば釘又はビス等の緊結部材によって第１及び第２屋根面１，２に緊結されている。
【００１５】
第１屋根材４は第１屋根面１に配設された部材であり、第２屋根材５は第２屋根面２に配設された部材である。第１及び第２屋根材４，５としては、例えば金属屋根材及び窯業系屋根材等が使用され得る。金属屋根材は、金属製の表基材と、表基材の裏側に配置された裏基材と、これら表基材及び裏基材の間に設けられた芯材とを有する平板状の屋根材である。窯業系屋根材は、例えばコロニアル等と呼ばれる平板状のスレート瓦である。
【００１６】
第１屋根材４は、第１屋根面１の軒方向１ａに関して互いの側端を突き合せるように第１屋根面１に配設されている。また、第１屋根材４は、第１屋根面１の軒棟方向１ｂに関して軒側の屋根材の上に棟側の屋根材の一部を重ねるように第１屋根面１に配設されている。第１屋根面１の軒棟方向１ｂに関する２つの第１屋根材４のうち、軒側の第１屋根材４を第１軒側屋根材４０と呼び、棟側の第１屋根材４を第１棟側屋根材４１と呼ぶことがある。第１棟側屋根材４１は、第１屋根面１の軒方向１ａに関して第１屋根材４の幅の半分だけ第１軒側屋根材４０とずらして配設されている。
【００１７】
同様に、第２屋根材５は、第２屋根面２の軒方向２ａに関して互いの側端を突き合せるように第２屋根面２に配設されている。また、第２屋根材５は、第２屋根面２の軒棟方向２ｂに関して軒側の屋根材の上に棟側の屋根材の一部を重ねるように第２屋根面２に配設されている。第２屋根面２の軒棟方向２ｂに関する２つの第２屋根材５のうち、軒側の第２屋根材５を第２軒側屋根材５０と呼び、棟側の第２屋根材５を第２棟側屋根材５１と呼ぶことがある。第２棟側屋根材５１は、第２屋根面２の軒方向２ａに関して第２屋根材５の幅の半分だけ第２軒側屋根材５０とずらして配設されている。
【００１８】
第１及び第２屋根材４，５は、第１及び第２屋根材４，５に緊結部材が打ち込まれることにより第１及び第２屋根面１，２に緊結されている。緊結部材は、第１及び第２屋根面１，２の幅方向に互いに離間する複数の位置で第１及び第２屋根面１，２に打ち込まれる。第１及び第２屋根材４，５が上述の金属屋根材である場合、第１及び第２棟側屋根材４１，５１に打ち込まれる緊結部材は、第１及び第２軒側屋根材４０，５０を貫通していてもよい。
【００１９】
第１及び第２屋根材４，５は、谷側端４ａ，５ａを有している。谷側端４ａ，５ａは、谷樋３の上方に隙間を形成するように設けられている。谷側端４ａ，５ａは、谷部に配置される第１及び第２屋根材４，５が屋根の勾配及び幅に応じて切断されることで形成され得る。谷側端４ａ，５ａの間の距離は、谷樋３の幅よりも短く設定される。換言すると、谷樋３の側辺部が第１及び第２屋根材４、５の下に隠れるように構成されている。
【００２０】
谷役物６は、谷樋３を覆うように第１及び第２屋根材４，５の間に配設された部材である。また、谷役物６は、第１及び第２屋根材４，５の谷側端４ａ，５ａを覆い隠している。このような谷役物６が設けられることで、第１及び第２屋根材４，５間の隙間から谷樋３が露出することと、第１及び第２屋根材４，５の谷側端４ａ，５ａが直線状に揃わないこととによる屋根の外観の悪化が防止されている。
【００２１】
次に、図２は図１の谷役物６を示す正面図であり、図３は図２の谷役物６を示す背面図であり、図４は図２の谷役物６を示す底面図であり、図５は図２の線Ａ−Ａに沿う谷役物６の断面図である。本実施の形態の谷役物６は、図２に示す正面が屋根の外方（空）に向かうように適合されている。
【００２２】
谷役物６には、役物本体６０、緊結部６１及び固定部材６２が設けられている。
【００２３】
本実施の形態の役物本体６０は、１枚の金属板により構成されている。役物本体６０には、第１板部６０１、第２板部６０２、折線６０３、第１折返片６０４及び第２折返片６０５が設けられている。
【００２４】
第１板部６０１及び第２板部６０２は、折線６０３を介して一体に設けられている。折線６０３は、図２のように谷役物６を正面から見た時に谷折線又は谷芯（谷役物６の窪みの最も深い部分）を構成している。第１板部６０１及び第２板部６０２は、谷役物６の正面側で互いに向かい合うように互いに傾斜して延在されている。谷役物６の正面側における第１及び第２板部６０１，６０２の間の角度は、谷役物６が使用される第１屋根面１と第２屋根面２との間の角度に応じて変更することができる。第１及び第２板部６０１，６０２の間の角度は、第１屋根面１と第２屋根面２との間の角度の±１０度以内の範囲内であることが好ましい。
【００２５】
図２のように谷役物６を正面から見た時の第１板部６０１及び第２板部６０２の全体としての外形は矩形（正方形又は正方形に近い四角形）とされており、折線６０３は第１板部６０１及び第２板部６０２の外形における対角線を構成している。
【００２６】
第１及び第２板部６０１，６０２には、上端部６０１ａ，６０２ａ、側端部６０１ｂ，６０２ｂ、上縁部６０１ｃ，６０２ｃ、下端部６０１ｄ，６０２ｄ、下縁部６０１ｅ，６０２ｅ及び入隅縁部６０１ｆ，６０２ｆが設けられている。
【００２７】
上端部６０１ａ，６０２ａは、折線６０３の一端側に位置する第１及び第２板部６０１，６０２の端部である。本実施の形態の谷役物６は、上端部６０１ａ，６０２ａが屋根の棟側に位置するように適合されている。
【００２８】
側端部６０１ｂ，６０２ｂは、上端部６０１ａ，６０２ａから折線６０３に直交する方向６０３ａに離れた位置に設けられた第１及び第２板部６０１，６０２の端部である。
【００２９】
上縁部６０１ｃ，６０２ｃは、上述の上端部６０１ａ，６０２ａと側端部６０１ｂ，６０２ｂとを接続する第１及び第２板部６０１，６０２の縁部である。本実施の形態の谷役物６では、上縁部６０１ｃ，６０２ｃは、上端部６０１ａ，６０２ａから折線６０３に直交する方向６０３ａに離れるにつれて折線６０３の他端に近づくように折線６０３に直交する方向６０３ａに対して傾斜して延在されている。
【００３０】
上述のように本実施の形態の屋根の谷部構造では、第１及び第２軒側屋根材４０，５０の上に第１及び第２棟側屋根材４１，５１の一部が重ねて配置されるとともに、第１及び第２棟側屋根材４１，５１に緊結部材が打ち込まれて第１及び第２棟側屋根材４１，５１が第１及び第２屋根面１，２に緊結される。折線６０３に直交する方向６０３ａに対する上縁部６０１ｃ，６０２ｃの傾斜角度θは、第１及び第２棟側屋根材４１，５１に打ち込まれる緊結部材と谷役物６との干渉を避けるように設定される。傾斜角度θが大きいほど緊結部材と谷役物６との干渉をより確実に避けることができる。一方で、傾斜角度θが大きすぎると、折線６０３の延在方向に谷役物６が大きくなる虞が生じる。傾斜角度は、２５°以上かつ４５°以下とすることが好ましく、４０°以上かつ４５°以下とすることがさらに好ましい。
【００３１】
下端部６０１ｄ，６０２ｄは、折線６０３の他端側に位置する第１及び第２板部６０１，６０２の端部である。本実施の形態の谷役物６は、下端部６０１ｄ，６０２ｄが屋根の軒側に位置するように適合されている。
【００３２】
下縁部６０１ｅ，６０２ｅは、上述の下端部６０１ｄ，６０２ｄと側端部６０１ｂ，６０２ｂとを接続する第１及び第２板部６０１，６０２の縁部である。本実施の形態の下縁部６０１ｅ，６０２ｅの長さＬ（図３参照）は、上述の第１及び第２軒側屋根材４０，５０の働き幅（軒棟方向１ｂ，２ｂに関する第１及び第２軒側屋根材４０，５０の露出幅）よりも長く設定される。換言すると、本実施の形態の谷役物６は、側端部６０１ｂ，６０２ｂが第１及び第２棟側屋根材４１，５１の下に隠れるように構成されている。
【００３３】
入隅縁部６０１ｆ，６０２ｆは、役物本体６０の下部に窪んだ角を形成するように下端部６０１ｄ，６０２ｄから折線６０３の他端に向けて延在する第１及び第２板部６０１，６０２の縁部である。入隅縁部６０１ｆ，６０２ｆの間の角度は、適用される第１屋根面と第２屋根面との間の角度以上に設定する必要がある。この設定範囲を外れた場合、下端部６０１ｄ，６０２ｄが第１及び第２軒側屋根材４０，５０の軒側端部４ｂ，５ｂに接しない納まりとなり、軒方向１ａ，２ａの段葺ラインが谷棟で途切れてしまい、意匠性を損なう。また、下端部６０１ｄ，６０２ｄの間の距離は、第１及び第２屋根材４，５の谷側端４ａ，５ａの間の距離よりも長く設定される。換言すると、第１及び第２屋根材４，５の谷側端４ａ，５ａが、第１及び第２板部６０１，６０２の下に隠れるように構成されている。
【００３４】
第１折返片６０４及び第２折返片６０５は、図４に特に表れているように入隅縁部６０１ｆ，６０２ｆから谷役物６の背面側に向けて延出された板部である。後述のように、第１折返片６０４及び第２折返片６０５は、第１及び第２軒側屋根材４０，５０の軒側端部４ｂ，５ｂに突き当てられる（図１１参照）。
【００３５】
緊結部６１は、谷役物６を第１及び第２屋根材４，５に緊結するための部分である。本実施の形態の緊結部６１は、役物本体６０とは別の一枚の金属板によって構成されている。緊結部６１は、固定部材６２によって役物本体６０に固定されている。固定部材６２としては、例えばリベット等を用いることができる。
【００３６】
図５に特に表れているように、緊結部６１には、第１突出壁６１０、第１舌片６１１、第２突出壁６１２及び第２舌片６１３が設けられている。
【００３７】
第１突出壁６１０は、第１板部６０１から突出されている板部である。第１舌片６１１は、第１突出壁６１０の先端部から第１板部６０１の延在方向に延出された板部である。第１板部６０１と第１舌片６１１との間の離間距離６１１ａは、これら第１板部６０１と第１舌片６１１との間に第１屋根材４の谷側端４ａを挿入できるように設定される。同様に、第２突出壁６１２は、第２板部６０２から突出されている板部である。第２舌片６１３は、第２突出壁６１２の先端部から第２板部６０２の延在方向に延出された板部である。第２板部６０２と第２舌片６１３との間の離間距離６１３ａは、これら第２板部６０２と第２舌片６１３との間に第２屋根材５の谷側端５ａを挿入できるように設定される。第１及び第２板部６０１，６０２と第１及び第２舌片６１１，６１３との間の離間距離６１１ａ，６１３ａは、谷側端４ａ，５ａの厚みの０．８倍以上かつ１．４倍以下に設定することが好ましく、０．９倍以上かつ１．２倍以下に設定することが更に好ましい。また、第１突出壁６１０と第２突出壁６１２の間の距離は、第１屋根材４の谷側端４ａと第２屋根材５の谷側端５ａの間の距離よりも短く設定される。
【００３８】
次に、図６〜図１１を用いて本実施の形態１の屋根の谷部構造の製造方法について説明する。図６は図２〜図５の谷役物６を使用する屋根の谷部構造の製造方法を示すフローチャートであり、図７は図６の谷樋配設工程Ｓ１を示す説明図であり、図８は図６の第１屋根材配設工程Ｓ２を示す説明図であり、図９は図６の第２屋根材配設工程Ｓ３を示す説明図であり、図１０は図６の谷役物配設工程Ｓ４を示す説明図であり、図１１は図１０の谷役物６の配設についてより詳しく示す説明図である。
【００３９】
図６に示すように、本実施の形態１の屋根の谷部構造の製造方法には、谷樋配設工程Ｓ１、第１屋根材配設工程Ｓ２、第２屋根材配設工程Ｓ３及び谷役物配設工程Ｓ４が含まれている。
【００４０】
谷樋配設工程Ｓ１は、図７に示すように、第１屋根面１と第２屋根面２とが入り合う谷部に谷樋３を配設する工程である。谷樋３には複数の吊子３ａが設けられており、吊子３ａに緊結部材が打ち込まれることにより、谷樋３が第１及び第２屋根面１，２に緊結される。
【００４１】
第１屋根材配設工程Ｓ２は、図８に示すように第１屋根面１に複数の第１屋根材４を配設する工程である。第１屋根材４は、第１屋根面１の軒方向１ａに関して互いの側端を突き合せるように第１屋根面１に配設される。また、第１屋根面１の軒棟方向１ｂに関して、第１軒側屋根材４０の上に第１棟側屋根材４１の一部を重ねるように第１棟側屋根材４１を配設する。第１棟側屋根材４１は、第１屋根面１の軒方向１ａに関して第１屋根材４の幅の半分だけ第１軒側屋根材４０とずらして配設される。第１屋根材４は緊結部材が打ち込まれることにより第１屋根面１に緊結される。
【００４２】
第２屋根材配設工程Ｓ３は、図９に示すように第２屋根面２に複数の第２屋根材５を配設する工程である。第２屋根材５は、第２屋根面２の軒方向２ａに関して互いの側端を突き合せるように第２屋根面２に配設される。また、第２屋根面２の軒棟方向２ｂに関して、第２軒側屋根材５０の上に第２棟側屋根材５１の一部を重ねるように第２棟側屋根材５１を配設する。第２棟側屋根材５１は、第２屋根面２の軒方向２ａに関して第２屋根材５の幅の半分だけ第２軒側屋根材５０とずらして配設される。第２屋根材５は緊結部材が打ち込まれることにより第２屋根面２に緊結される。
【００４３】
これら第１及び第２屋根材配設工程Ｓ２，Ｓ３は、順に行われてもよいし、同時並行で行われてもよい。
【００４４】
谷役物配設工程Ｓ４は、図１０に示すように谷樋３を覆うように第１及び第２屋根材４，５の間に谷役物６を配設する工程である。図１１に特に示しているように、谷役物６は、第１折返片６０４を第１軒側屋根材４０の軒側端部４ｂに突き当てるとともに、第２折返片６０５を第２軒側屋根材５０の軒側端部５ｂに突き当てるように配設される。また、谷役物６は、第１板部６０１と第１舌片６１１との間に第１棟側屋根材４１の谷側端４ａを挟み込むとともに、第２板部６０２と第２舌片６１３との間に第２棟側屋根材５１の谷側端５ａを挟み込むように配設される。
【００４５】
谷役物６がこのように配設された時、第１及び第２板部６０１，６０２の側端部６０１ｂ，６０２ｂ及び上縁部６０１ｃ，６０２ｃが第１及び第２棟側屋根材４１，５１の下に隠れる。これは、本実施の形態の下縁部６０１ｅ，６０２ｅの長さＬ（図３参照）が上述の第１及び第２軒側屋根材４０，５０の働き幅（軒棟方向１ｂ，２ｂに関する第１及び第２軒側屋根材４０，５０の露出幅）よりも長く設定されているためである。
【００４６】
谷役物６が上述のように配設された後、第１舌片６１１に緊結部材を打ち込むことにより谷役物６を第１棟側屋根材４１に緊結するとともに、第２舌片６１３に緊結部材を打ち込むことにより谷役物６を第２棟側屋根材５１に緊結する。緊結部材の例としては、ビス、釘、リベット、ボルト、接着剤等が挙げられる。緊結部材としてビス、釘、リベット又はボルト等を用いる場合、そのような緊結部材は、第１及び第２舌片６１１，６１３と第１及び第２棟側屋根材４１，５１とを貫通することで、谷役物６と第１及び第２棟側屋根材４１，５１を緊結する。このような緊結部材が谷樋３を貫通しないよう、「緊結部材の長さ」や「緊結部材を打ち込む位置」を調整することが好ましい。これは、防水性が要求される谷樋３に貫通穴を開けないようにするためである。谷役物６を第１及び第２棟側屋根材４１，５１に締結する際、谷樋３は第１及び第２屋根材４，５の下に隠れておりその位置が明確には判別できないため、緊結部材を谷樋３から外れた位置に打ち込むことは容易ではない。よって緊結部位の長さを谷側端４ａ，５ａの厚みの０．５倍以上かつ２．０倍以下に設定することが好ましく、０．９倍以上かつ１．４倍以下に設定することが更に好ましい。
【００４７】
この谷役物配設工程Ｓ４は、第１及び第２屋根材配設工程Ｓ２，Ｓ３の途中で行ってよい。第１及び第２軒側屋根材４０，５０の上に第１及び第２棟側屋根材４１，５１を配設する前に谷役物６を第１及び第２軒側屋根材４０，５０の上に配設してもよい。また、第１及び第２軒側屋根材４０，５０の上に第１及び第２棟側屋根材４１，５１を配設した後に谷役物６を配設してもよい。
【００４８】
第１及び第２棟側屋根材４１，５１の配設の後に谷役物６を配設する場合、第１及び第２棟側屋根材４１，５１に緊結部材を打ち込んで第１及び第２棟側屋根材４１，５１を第１及び第２屋根面１，２に緊結した後に、谷役物６を配設することができる。特に、谷役物配設工程Ｓ４は、第１及び第２屋根材配設工程Ｓ２，Ｓ３が完了した後に行ってよい。これは、本実施の形態の谷役物６において折線６０３に直交する方向６０３ａに対する上縁部６０１ｃ，６０２ｃの傾斜角度θが第１及び第２棟側屋根材４１，５１に打ち込まれる緊結部材と谷役物６との干渉を避けるように設定されているためである。また、軒側の谷役物６の緊結部６１を、第１及び第２棟側屋根材４１，５１ではなく、棟側の谷役物６の下に隠すことができるためである。このような順で谷役物６を配設することにより、第１及び第２屋根材４，５の配設作業と谷役物６の配設作業とを切り分けて行うことができ、作業が複雑になることを回避できる。
【００４９】
このような屋根の谷部構造並びに谷役物６及びそれを用いた屋根の谷部構造の製造方法によれば、第１板部６０１と第１舌片６１１との間に第１屋根材４の谷側端４ａを挟み込むとともに、第１舌片６１１に打ち込まれた緊結部材により谷役物６が第１屋根材４に緊結され、第２板部６０２と第２舌片６１３との間に第２屋根材５の谷側端５ａを挟み込むとともに、第２舌片６１３に打ち込まれた緊結部材により谷役物６が第２屋根材５に緊結されるので、より確実に長期間にわたって谷役物６を第１及び第２屋根材４，５に固定できる。
【００５０】
また、第１及び第２板部６０１，６０２の側端部６０１ｂ，６０２ｂ及び上縁部６０１ｃ，６０２ｃが上端部６０１ａ，６０２ａから折線６０３に直交する方向６０３ａに離れるにつれて折線６０３の他端に近づくように折線６０３に直交する方向６０３ａに対して傾斜して延在されているので、第１及び第２棟側屋根材４１，５１に打ち込まれる緊結部材と谷役物６との干渉を避けるように谷役物６を構成することができ、第１及び第２棟側屋根材４１，５１を第１及び第２屋根面１，２に緊結した後に谷役物６を配設することができる。これにより、第１及び第２屋根材４，５の配設作業と谷役物６の配設作業とを切り分けて行うことができ、作業が複雑になることを回避できる。
【００５１】
実施の形態２．
図１２は本発明の実施の形態２による谷役物６を示す正面図であり、図１３は図１２の谷役物６を示す背面図であり、図１４は図１２の谷役物６を示す底面図であり、図１５は図１２の線Ｂ−Ｂに沿う谷役物６の断面図である。
【００５２】
実施の形態１では、緊結部６１が役物本体６０とは別の部材により構成されているように説明したが、図１２〜図１５に示すように緊結部６１及び役物本体６０が１枚の金属板により構成されていてもよい。本実施の形態の谷役物６では、第１及び第２板部６０１，６０２の上部が折線６０３に沿って切断されており、その切断片が折り曲げられることにより第１突出壁６１０、第１舌片６１１、第２突出壁６１２及び第２舌片６１３が形成されている。その他の構成は実施の形態１と同様である。
【００５３】
このように、緊結部６１及び役物本体６０が１枚の金属板により構成されていてもよい。
【符号の説明】
【００５４】
１  第１屋根面
２  第２屋根面
３  谷樋
４  第１屋根材
５  第２屋根材
４ａ，５ａ  谷側端
６  谷役物
６０１  第１板部
６０２  第２板部
６０１ａ，６０２ａ  上端部
６０１ｂ，６０２ｂ  側端部
６０１ｃ，６０２ｃ  上縁部
６０３  折線
６１０  第１突出壁
６１１  第１舌片
６１２  第２突出壁
６１３  第２舌片
【図１】
2020056258.tif 000003
【図２】
2020056258.tif 000004
【図３】
2020056258.tif 000005
【図４】
2020056258.tif 000006
【図５】
2020056258.tif 000007
【図６】
2020056258.tif 000008
【図７】
2020056258.tif 000009
【図８】
2020056258.tif 000010
【図９】
2020056258.tif 000011
【図１０】
2020056258.tif 000012
【図１１】
2020056258.tif 000013
【図１２】
2020056258.tif 000014
【図１３】
2020056258.tif 000015
【図１４】
2020056258.tif 000016
【図１５】
2020056258.tif 000017